(57)【特許請求の範囲】
【請求項１】
吸着された電子部品を撮像手段で撮像し認識する電子部品の認識装置において、
電子部品の外寸より大きな径を有し吸着面側に光拡散性のテーパー面が形成された吸着ノズルと、
吸着ノズルにより吸着された電子部品を照明するための第１と第２の光源と、
穴を形成した筒形状の光吸収板とを備え、
前記穴を通して斜め上方から光が前記テーパー面に入射し、前記吸着ノズルに吸着された電子部品を上方から照明する第１の光源により透過照明され、前記吸着ノズルに吸着された電子部品を下方から照明する第２の光源により反射照明されるように設定されることを特徴とする電子部品の認識装置。
【請求項２】
前記ノズルのテーパー部のエッジを検出して、その中心を求めることにより、電子部品を含めた近傍のみ画像処理することを特徴とする請求項１に記載の電子部品の認識装置。
【発明の詳細な説明】
【０００１】
【発明の属する技術分野】
本発明は、電子部品の認識装置、更に詳細には、電子部品を吸着する吸着ノズルの交換なしに、同一ノズルで電子部品を透過あるいは反射照明し撮像できる電子部品の撮像装置に関する。
【０００２】
【従来の技術】
特公平８−２４２３４号公報には、ノズルの外寸をノズルに吸着された電子部品の外寸より大きくするとともに、このノズルの下部をテーパー面でかつ光拡散面とし、ノズル先端部分を電子部品より小さくするノズルの形状が記載されている。このノズル形状では、下方からの照明光は、ノズル上部（テーパー面より上方）に設けた光拡散板で下方に散乱され、一部がテーパー面に入射して更に散乱され、それにより電子部品は明るく輝くテーパー面の内部に、黒いシルエットとして明瞭に下方のカメラで観察できるようになっている。
【０００３】
また、実用新案登録第２５２０５９６号（実開平４−６３１９７号）には、ノズルに吸着された電子部品に照射光を投射し、そのノズルを先細りテーパーとし、かつ表面を鏡面仕上げにして、電子部品からの反射光を除いて照射光の反射光が、電子部品と対向する位置に配設された撮像手段に入射されないようにして、電子部品の反射光のみを撮像手段で観察できる構成が記載されている。
【０００４】
また、特公平４−４６０００号公報には、ノズルに吸着された電子部品の上方及び下方にそれぞれ光源を配置し、上方の光源からの照明光を拡散板を通して電子部品に投射し、電子部品をその下方に配置された撮像手段で撮像できるとともに、下方の光源からの照明光を透光部のある拡散板を介して電子部品に投射し、電子部品からの反射光を透光部を介して同撮像手段で撮像することにより、電子部品を透過、反射照明の両方で観察、撮像できる構成が記載されている。
【０００５】
【発明が解決しようとする課題】
しかしながら、特公平８−２４２３４号公報に記載の構成では、各種の電子部品の内角型チップ部品やＳＯＰ、ＱＦＰ、ＭＥＬＦ等の部品は、精度よく認識できるが、透過照明のみの構造なので裏面に端子やリードのあるＰＬＣＣあるいはＳＯＪなどは部品を撮像する場合には、精度よく認識できず、またＢＧＡ等の部品については端子が部品の底面にあるため端子の認識が不可能であり部品外形で認識したとしても精度が非常に悪く、従って別のステーション（シュータの場合）で反射照明による電子部品の認識が必要となる、という問題がある。更に下方に配置する光源は、リング状の光源としなければならず、かなりの設置面積を必要とする、という欠点があった。又、光源のリングの径を小さくして設置面積を小さくする場合には、光源の指向性を狭くするために、レンズ等を用いなければならずコストが高くなるというデメリットがあった。
【０００６】
一方、実用新案登録第２５２０５９６号の構成では、角型チップ部品あるいはＳＯＰ、ＱＦＰ等の部品に関しては、はんだ面やリードの表面状態によって上述の透過照明による認識と比べて精度は、落ちる可能性はあるが、認識は可能となっている。しかしながら、ＰＬＣＣ、ＳＯＪ、ＢＧＡ等の電子部品は、認識可能ではあるが、反射照明のみの構造なのでＭＥＬＦのような円筒形の電子部品は、端子の一部しか光を反射せず高精度な認識が行なえない、という問題がある。更に電子部品からの反射光を除いて照明光の反射光が撮像手段に入射されないようにしなければならないので、ノズル上部に拡散板を設ける必要性があり、あるいはノズルの鏡面仕上げのテーパー面を撮像手段の画面よりも大きくなるように広くとらなければならずコスト高になる、という欠点がある。
【０００７】
そして両方式ともノズル先端面を電子部品より小さくしなければならず、ごく小さい電子部品の場合には、ノズルの強度不足が問題となる。
【０００８】
更に、特公平４−４６０００号公報に記載の構成では、透過、反射両用方式ではあるが、両照明とも光源から照射された光を拡散板を通して光を内部拡散させて、吸着ノズルに吸着した部品に前記散乱光を投射する方法なので、下方の反射照明装置には、光源及び拡散板を配置するスペースはあるものの、上方の透過照明装置ではノズル上部に光源及び拡散板を配置するにはスペース的に無理があり、取付方法についても工夫を要し複雑な構造となる、という問題がある。
【０００９】
本発明は、このような問題を解消するためになされたもので、ノズルに吸着される電子部品を透過照明あるいは反射照明して高精度で認識できる電子部品の認識装置を提供することを課題とする。
【００１０】
【課題を解決するための手段】
本発明は、上記課題を解決するために、吸着された電子部品を撮像手段で撮像し認識する電子部品の認識装置において、電子部品の外寸より大きな径を有し吸着面側に光拡散性のテーパー面が形成された吸着ノズルと、吸着ノズルにより吸着された電子部品を照明するための第１と第２の光源と、穴を形成した筒形状の光吸収板とを備え、前記穴を通して斜め上方から光が前記テーパー面に入射し、前記吸着ノズルに吸着された電子部品を上方から照明する第１の光源により透過照明され、前記吸着ノズルに吸着された電子部品を下方から照明する第２の光源により反射照明されるように設定される構成を採用した。
【００１１】
このような構成では、吸着ノズルのテーパー面が、吸着ノズル軸に対して所定の傾斜角度をもっており、２つの光源を選択的に点灯させることで、テーパー面での光の散乱する方向が、変わるようになる。これにより電子部品に対して最適な透過照明あるいは反射照明を行なうことができ、高精度な認識が可能になる。
【００１２】
このテーパー面は、例えば、機械加工面（例えば旋盤）でサンドブラスト加工などを施すことにより所定の反射、散乱特性にすることができる。
【００１３】
吸着ノズルで吸着された電子部品を認識するとき、前記ノズルのテーパー部のエッジを検出して、その中心を求めることにより、電子部品を含めた近傍のみ画像処理する。これにより画像処理時間の短縮及び吸着ノズルのテーパー面の面積を小さくすることができる。
【００１７】
【発明の実施の形態】
以下、図面に示す実施の形態に基づいて本発明を詳細に説明する。
【００１８】
電子部品装着装置の電子部品供給部（図示せず）には、図１（Ａ）〜（Ｈ）に示すような角形チップ部品やＳＯＰ、ＱＦＰ、ＭＥＬＦ等の種々の電子部品が多数収納されている。図２に図示したような吸着ノズル２を有する移載ヘッド（不図示）が同様に不図示のＸＹ駆動機構により電子部品供給部に移動し、昇降駆動機構(図示せず)を介して下方に移動する。このとき真空圧引内管３及び通路４に真空圧が発生し、電子部品１は吸着ノズル２によりテイクアップされ、移載ヘッドが電子部品装着用基板の方向にＸＹ移動し、電子部品が基板上の所定位置に搭載される。
【００１９】
この電子部品の基板への移動途中で吸着ノズル２に吸着された電子部品の吸着姿勢及び位置ずれが認識カメラ（ＣＣＤ）１１で認識され、所定の方向に対する吸着姿勢のずれ量及びＸＹの位置ずれ量が補正されることにより、電子部品は正確な位置及び方向で基板上に搭載される。
【００２０】
電子部品の吸着装置には、穴９を形成した円筒形状の光吸収板８が設けられており、この穴９に臨む形で第１の光源７（例えばＬＥＤ）が配置されている。光源７の位置は、吸着ノズル２の吸着面６より上方に位置し、また吸着面６より上方にテーパー面５が形成されるので、光源７が点灯されると、光吸収板８の穴９を通して斜め上方から光がテーパー面５に入射し、吸着ノズル２に吸着された電子部品１を上方から照明する。この場合、光源７の光軸は吸着ノズルの軸心に対してαの角度に、またテーパー面５は、軸心に対してβの角度に設定される。
【００２１】
テーパー面５は機械加工面（例えば旋盤加工など）であって、研磨する必要はない。また、散乱性を持たせるために、例えば、サンドブラスト加工を行なう。又、吸着ノズル２のノズル外径は吸着する電子部品１より大きくし、吸着する電子部品の種類や大きさが変わったときでも、ノズル交換を不要とするため、ノズル外径を予想される最大電子部品よりも大きくしておく。この場合、ノズル先端吸着面６を光吸収材（カメラメッキやセラミック）とすることにより、ノズルの先端吸着面の大きさを吸着される電子部品より大きくすることができ、ノズルがごく小さな電子部品を吸着する場合でも、ノズル先端に十分な強度を持たせることができる。
【００２２】
また、吸着ノズル２の吸着面６に対向した下方位置に第２の光源（例えばＬＥＤ）１０並びにレンズを有する認識カメラ１１が設置される。第２の光源１０は、その光軸が吸着ノズルの軸心に対してγの角度に設定され、第２の光源が点灯すると、この光源からの光は電子部品１を下方から照明するようになる。また、光源１０からテーパー面５に入射した光は、側方に散乱され、一部が光吸収板８に吸収される。
【００２３】
第２の光源１０は、図３に示したように、認識カメラ１１の周囲に等間隔に隔てて複数個（８個）配置され、同様に第１の光源７も光吸収板８の周囲に複数個配置され、それに対応して穴９も複数個形成される。
【００２４】
なお、上記各角度の関係は、図２に示すように透過照明とノズル軸のなす角をα、反射照明とノズル軸のなす角をγ、テーパー面とノズル軸のなす角をβとすると、（π／２＋β）＞α  でかつ（π／２−β）＞γの関係に設定される。
【００２５】
このような電子部品の吸着装置において、図１の角形チップ部品やＳＯＰ、ＱＦＰ、ＭＥＬＦのような電子部品１を吸着ノズル２で吸着しテイクアップした場合は、移載ヘッドがまず認識カメラ１１の位置にＸＹ移動する。そして、図２（Ａ）に示したように、第１光源７が点灯され、この光源からの光が光吸収板８の穴９を通してテーパー面５で反射され、電子部品１を上方から照明する。照明光はテーパー面５でも散乱されるので、電子部品１は、図２（Ｂ）に図示したように、テーパー面５を背景５ａとした黒い影１ａとして認識用カメラ１１で撮像され、電子部品１の表面状態に関係なく良好な認識が可能となる。
【００２６】
又、図１の角形チップ部品やＰＬＣＣ、ＳＯＪ、ＢＧＡ等の電子部品１が吸着ノズル２で吸着され、テイクアップされた場合は、図２（Ｃ）に図示したように、第２の光源１０が点灯され、光源からの照明光は電子部品１で反射され、その反射光が認識カメラ１１に撮像、認識される。このとき、電子部品１の外形近傍の光はテーパー面５で反射して光吸収板８に吸収されるが、テーパー面５は光拡散面でもあるので、一部が電子部品１に向かう。しかし少なくとも電子部品１からの反射光よりも暗ければ、コントラストを大きくすることができ、図１の角形チップ部品のような電子部品の像１ａは、図２（Ｄ）のようにテーパー面の像５ａに対してコントラストのある像として認識カメラ１１で観察され、電子部品の装着側に端子やリードのある部品でも精度良く認識可能となる。
【００２７】
尚、第１の光源７が点灯している時は、第２の光源１０は消灯し、また第２の光源１０が点灯している時は、第１の光源７は消灯されるが、第１の光源及び第２の光源の前方にそれぞれシャッタ装置を設け、各光源は常時点灯して、透過照明するか、反射照明するかに従って、各シャッタを開閉するようにしてもよい。また第１と第２のどちらかの光源を一方に比して充分暗くし、両光源を常時点灯するようにしてもよい。
【００２８】
このようにして、吸着ノズル２で吸着した電子部品１を認識カメラ１１で撮像して、電子部品１に対応するノズルのテーパー部のエッジを検出して、その中心を求めることにより、電子部品１を含めた近傍のみ画像処理を行なう。この処理の流れが図４に示されている。
【００２９】
図４のステップＳ１において認識カメラ１１の画像入力を開始し、ステップＳ２においてテーパー部５ａ（図２（Ｂ）、（Ｄ））のエッジ位置座標を検出する。ステップＳ３で画像入力終了が判断されたときは、ステップＳ４において、ステップＳ２で検出したテーパー部５ａ内の影画像１ａ（図２（Ａ）の透過照明の場合）あるいは反射部１ａ（図２（Ｃ）の反射照明の場合）の重心を計算し、ステップＳ５において、ステップＳ２で検出したテーパー部５ａ内の影画像あるいは反射部１ａの慣性主軸を計算し、傾きを計算する。
【００３０】
このようにして、予め決められた所定の方向に対する吸着姿勢のずれ量及びＸＹ方向のずれ量を計算する。吸着姿勢のずれ量Δθは吸着ノズル軸芯をθ回転させる回転駆動機構(図示せず)によりΔθ回転させ、ＸＹ方向のずれ量ΔＸ、ΔＹは移載ヘッドＸＹ駆動機構によりΔＸ、ΔＹ分補正をかけて吸着ノズル２で吸着した電子部品１を電子部品装着用基板へ正確に装着させる。
【００３１】
図５には、本発明の他の実施形態が図示されている。図５において図２と同一部分には同一の参照符号を付しその説明は省略する。
【００３２】
図５の実施形態は、認識カメラ１１が吸着ノズル２と同じ移載ヘッドに搭載される例であり、この場合には認識カメラ１１及び光源１０は吸着面の下方ではなく、吸着ノズル２と並ぶ形に配置される。従って、光源１０からの光により電子部品を下方から反射照明するために、可動プリズム（又はミラー）１２と固定プリズム（又はミラー）１３を使用する。撮像時には、可動プリズム１２は光路に入り、光源１０からの光束は固定プリズム１３、可動プリズム１２を介して電子部品１を反射照明する。このとき、テーパー面５に入射する光束は、図２の例の場合と同様に、側方に反射散乱される。
【００３３】
この例では、移載ヘッドがＸＹ移動中に電子部品の吸着状態が認識できる。その場合、電子部品の吸着あるいは装着時には、可動プリズム１２は、吸着あるいは装着経路から外される。
【００４２】
【発明の効果】
以上説明したように、本発明では、吸着ノズルの吸着面側に光拡散性のテーパー面が形成され、吸着ノズルに吸着された電子部品は、そのテーパー面を介して第１の光源により透過照明され、また第２の光源により反射照明されるようになるので、簡単な構成で電子部品に対し最適な透過照明ないし反射照明を行なうことができ、種々の電子部品に対して良好な認識が可能になる。
【図面の簡単な説明】
【図１】種々の電子部品の外観形状を示す斜視図である。
【図２】電子部品を透過照明あるいは反射照明して認識する状態を示した説明図である。
【図３】認識カメラに対する光源の配置を示した配置図である。
【図４】電子部品の認識の流れを示すフローチャート図である。
【図５】本発明の他の実施形態を示す構成図である。
【符号の説明】
１…電子部品
２…吸着ノズル
５…テーパー面
６…吸着面
７、１０…光源
１１…認識カメラ
【図１】
0004117065.tif 000002
【図２】
0004117065.tif 000003
【図３】
0004117065.tif 000004
【図４】
0004117065.tif 000005
【図５】
0004117065.tif 000006